(57)【要約】      （修正有）【課題】複数の電子音楽デバイスによって生成される入力信号を組合せるための装置を提供する。【解決手段】リハーサルシステムのセグメント（チャネル１２）は、電気音楽デバイス（ＸＬＲ入力４０２経由）から受信した入力信号２００を複数のオーディオバス４１２〜４２０のうちの１つ、オーディオバス４１２に届ける入力回路２０２、チャネル制御部２０４と、複数のオーディオバスの各々に関連付けられた別のセグメント（チャネル１４、１６、１８、２０）によって受信されて他のオーディオバス４１４、４１６、４１８、４２０を介して配送される入力信号の少なくとも１つの特性を他から独立して変える可変調整デバイス（コントロール４２２、４２４、４２６、４２８、４３０）と、複数のオーディオバスで配送される入力信号を組合せて出力信号にするミキサー（出力部２２６）を備える。【選択図】図４
2016006976.tif 000002
【特許請求の範囲】
【請求項１】
複数のオーディオバスと、
複数のセグメントであって、個々のセグメントが前記複数のオーディオバスの一つに対応付けられており、各セグメントが、
少なくとも１つの電気音楽デバイスから少なくとも１つの入力信号を受信し、当該少なくとも１つの入力信号を前記複数のオーディオバスの対応する１つに届けるように構成された入力回路と、
前記複数のオーディオバス中の対応する１つのオーディオバスと各々関連付けられており、前記複数のセグメントの中の別のセグメントによって受信され、前記複数のオーディオバスの中の他のオーディオバスで配送される入力信号から独立して前記オーディオバス中の前記対応する１つのオーディオバスで配送される入力信号の少なくとも１つの特性を変えるように各々構成された複数の可変調整デバイスと、
前記複数のオーディオバスの各々で配送される前記入力信号を組合せて出力信号にするように構成されたミキサーとを含む、前記複数のセグメントと
を備える装置。
【請求項２】
前記入力信号の前記少なくとも１つの特性は当該入力信号のゲインを含む請求項１に記載の装置。
【請求項３】
前記入力回路は、前記複数のオーディオバスの１つに前記少なくとも１つの入力信号を届ける前に前記少なくとも１つの入力信号の少なくとも１つの特性を調整する回路を含む請求項１に記載の装置。
【請求項４】
前記入力回路は、前記少なくとも１つの入力信号のゲインを調整する回路を含む請求項３に記載の装置。
【請求項５】
前記入力回路は、前記複数のオーディオバス中の第１のオーディオバスの第１のチャネルと第２のチャネルの各々に届けられる前記少なくとも１つの第１の入力信号の比率を調整する回路を備える、請求項１に記載の装置。
【請求項６】
前記出力信号のボリュームを調整し、前記出力信号を出力デバイスに届けるように構成された出力回路をさらに備える請求項１に記載の装置。
【請求項７】
前記出力デバイスはヘッドフォンである請求項６に記載の装置。
【請求項８】
前記出力デバイスはデジタルレコーダである請求項６に記載の装置。
【請求項９】
前記出力回路はアンプを含む請求項６に記載の装置。
【請求項１０】
前記セグメントの少なくとも１つが遠隔操作可能である請求項１に記載の装置。
【請求項１１】
ファントム電源スイッチをさらに含む、請求項１に記載の装置。
【請求項１２】
前記複数のオーディオバスおよび前記複数のセグメントはハウジング内に格納されている請求項１に記載の装置。
【請求項１３】
前記ハウジングは持ち運び可能である請求項１２に記載の装置。
【請求項１４】
前記ハウジング内で前記複数のセグメントは放射状に配置される請求項１２に記載の装置。
【請求項１５】
ドッキングステーションをさらに備える請求項１に記載の装置。
【請求項１６】
複数の電子音楽デバイスによって生成される入力信号を組合せるための方法であって、
個々のセグメントが複数のオーディオバスの一つに対応付けられている複数のセグメントであって、複数の入力信号をそれらにそれぞれ対応付けられた前記複数のセグメントで受信し、
各入力信号を前記複数のオーディオバスの対応する１つに送り、
各セグメントにおいて、
各入力信号の少なくとも１つの特性を、他の各入力信号から独立してかつ他の各セグメントから独立して、調整し、
前記複数の入力信号を出力信号に組合せること
を備える方法。
【請求項１７】
各入力信号の前記少なくとも１つの特性は当該入力信号のゲインを含む請求項１６に記載の方法。
【請求項１８】
オーディオバスに各入力信号を送る前に各入力信号のゲインを調整することをさらに備える請求項１６に記載の方法。
【請求項１９】
オーディオバスに各入力信号を送ることは、前記オーディオバスの第１のチャネルと第２のチャネルとの各々に送信される前記入力信号の比率を調整することを含む請求項１６に記載の方法。
【請求項２０】
前記出力信号のボリュームを調整し、当該出力信号を出力デバイスに届けることをさらに備える請求項１６に記載の方法。
【請求項２１】
前記出力デバイスはヘッドフォンである請求項２０に記載の方法。
【発明の詳細な説明】
【技術分野】
【０００１】
（関連出願の相互参照）
本出願は、２００８年５月１５日に出願された米国仮出願第６１／０５３，３９１号の便益を主張するものであり、その出願の内容全体が参照により本明細書に援用される。
【０００２】
本発明は、楽器（電子楽器やエレクトロアコースティック楽器など）および同様のデバイスからの入力を組合せるシステムに関する。
【背景技術】
【０００３】
エレキギター、ピックアップ付きアコースティックギター、エレキベース、マイクロフォンなどの電子楽器やエレクトロアコースティック楽器は、それらの音を増幅および／または修正するのに、アンプなどの電子機器に依存している。バンドリハーサルなど、複数の演奏者をセッティングする場合、各演奏者がアンプを持っている場合があり、バンド全体中には、バンド全体の出力を制御および監視するためのミキサーが複数ある場合がある。例えば、ＲｏｌｌｓＭＸ４１ミキサーやＭａｃｋｉｅ１２０２などの製品は、複数の入力チャネルを受け取ることができ、各入力を操作可能であり、１つのオーディオミックスを生成する。
【発明の概要】
【発明が解決しようとする課題】
【０００４】
多くの場合、バンドリハーサルは「消音で（silently）」行われるのが望ましい。すなわち、ヘッドフォンにバンドの音を供給することによって楽器が最小限の音響を出すようにするのが望ましい。ヘッドフォンアンプは消音リハーサルを可能にするものであり、つまり複数の入力を受信し、それらの入力を組合せて１つの出力信号にし、その出力信号を各演奏者が装着するヘッドフォンに供給する。しかし、ヘッドフォンアンプは、各演奏者が自らのヘッドフォンに供給される特定の入力ミックスを構成する構成部分を個別に制御できない。むしろ、別の機器（「ミキサー」）によって共通のミックスが生成され、そのミックスが各演奏者のヘッドフォンまたは他のリスニングデバイスに送られる。そのため演奏者は、例えばＳａｍｓｏｎ社やＰｒｅＳｏｎｕｓ社製のヘッドフォンアンプをいくつか使用して、自身のヘッドフォン内で自身の入力チャネルの音量を上げる（「私を強調」コンセプト）くらいのことしかできない。しかし、ヘッドフォンアンプを使用しても、依然としてヘッドフォンアンプの前段で共通のミックスが作り出され、ミックス全体の変更がすべての聴き手に影響するようになる。そのため、ヘッドフォンアンプとミキサーとを一緒に使用しても、他の入力チャネルに対する個々の修正はできない。
【課題を解決するための手段】
【０００５】
本発明の一般的な一態様では、装置が複数のオーディオバスと複数のセグメントとを備える。各セグメントは、少なくとも１つの電気音楽デバイスから少なくとも１つの入力信号を受信し、その少なくとも１つの入力信号を複数のオーディオバスのうちの１つに届けるように構成された入力回路と、複数のオーディオバスの中の対応する１つのオーディオバスと各々関連付けられており、複数のセグメントの中の別のセグメントによって受信され、複数のオーディオバスの中の他のオーディオバスで配送される入力信号から独立してオーディオバスの中の対応する１つのオーディオバスで配送される入力信号の少なくとも１つの特性を変えるように各々構成された複数の可変調整デバイスと、複数のオーディオバスの各々で配送される入力信号を組合せて出力信号にするように構成されたミキサーとを備える。
【０００６】
実施形態は以下のうちの１つ以上を備え得る。入力信号の少なくとも１つの特性は、その入力信号のゲインを備える。入力回路は、複数のオーディオバスの１つにその少なくとも１つの入力信号を届ける前に、その少なくとも１つの入力信号の少なくとも１つの特性（例えばゲイン）を調整する回路を備える。入力回路は、第１のオーディオバスの第１のチャネルと第２のチャネルの各々に届けられる少なくとも１つの第１の入力信号の比率を調整する回路を備える。この装置は、その出力信号のボリュームを調整し、その出力信号をヘッドフォンやデジタルレコーダなどの出力デバイスに届けるように構成された出力回路を備える。この装置は、ファントム電源スイッチを備える。複数のオーディオバスおよび複数のセグメントはハウジング内に格納されており、例えば、複数のチャネルがそのハウジング内で放射状に配置されている。ハウジングは持ち運び可能であり、セグメントの少なくとも１つは遠隔操作が可能である。この装置は、ドッキングステーションを備える。
【０００７】
別の態様において、本発明は、複数の電子音楽デバイスによって生成される入力信号を組合せるための方法に関する。この方法は、対応する複数のセグメントに複数の入力信号を受信することと、オーディオバスに各入力信号を送ることと、セグメントごとに、互いの入力信号および他の各チャネルから独立して各入力信号の少なくとも１つの特性を調整し、その複数の入力信号を組合せて出力信号にすることとを備える。
実施形態は、以下のうちの１つ以上を備え得る。入力信号の少なくとも１つの特性は、その入力信号のゲインを備える。方法は、オーディオバスに各入力信号を送る前に各入力信号のゲインを調整することを備える。オーディオバスに各入力信号を送ることは、オーディオバスの第１のチャネルと第２のチャネルとの各々に送信される入力信号の比率を調整することを備える。方法は、出力信号のボリュームを調整することと、出力信号をヘッドフォンなどの出力デバイスに届けることとを備える。
【０００８】
複数のオーディオバスと複数のセグメントとを備える装置は、大音量でのリハーサルによる騒音によって近隣住民に迷惑がかかることなどを理由に、最小限の音響だけを出して「消音で」合同リハーサルを行う必要がある演奏者のグループにとって役立つ。この装置により、各演奏者は、他の各演奏者が聞くチャネルの組み合わせから独立して、自分が聞くチャネルの組み合わせを制御することができる。各演奏者は自身の音楽ニーズまたは嗜好に最適な組み合わせを生成できるため、この性能により、もっと有意義なリハーサルが可能となる。この装置の操作は単純明快であることから、音響技師や音響技術者を必要とせず、楽曲のリハーサルまたは演奏の間に演奏者自身で行うことができる。さらにこの装置は、デジタル音楽レコーダまたはコンピュータなどのデバイスに接続可能であるため、リハーサルを録音することができ、録音したチャネルの組み合わせを調整することもできる。現在利用可能なデバイスは、各演奏者に対し、自身が聞いている内容を独立して調整する性能を提供しない。上記装置は軽量で持ち運びも可能であることから、リハーサル・スタジオ、家、学校、寮の部屋、演奏会場など、さまざまな場所で簡単に使用することができる。
【図面の簡単な説明】
【０００９】
【図１】グループリハーサルシステムの漫画描写である。
【図２】リハーサルシステムの外部構造の概略図である。
【図２Ａ】リハーサルシステムの外部構造の概略図である。
【図３】リハーサルシステムを表現したブロック図である。
【図４】リハーサルシステムの電子回路の概略図である。
【図５】リハーサルシステムの別の実施形態の概略図である。
【図６】図５に示すリハーサルシステムの電子回路の概略図である。
【図７】リモコンを使用して１つ以上のチャネルが遠隔操作可能であるリハーサルシステムの実施形態の概略図である。
【図８Ａ】ドッキングステーションを備えるリハーサルシステムの実施形態の概略図である。
【図８Ｂ】ドッキングステーションの特徴を表現したブロック図である。
【図９】部屋シミュレーションモジュールを備えるリハーサルシステムを表現したブロック図である。
【発明を実施するための形態】
【００１０】
図１を参照すると、グループリハーサルシステム１０が示されている。リハーサルシステム１０により、演奏者１、２、３、４は合同で消音リハーサルを行うことができ、各演奏者は「ミックス」、つまり自分が聞く楽器の組み合わせを個々に制御することができる。このようにして、各演奏者は、他の演奏者が聞くミックスに影響を及ぼすことなく、自身のニーズまたは嗜好に合った独自のミックスを生成することができる。リハーサルシステム１０は、電子音楽信号またはチャネルを受信するための複数のチャネル１２、１４、１６、１８、２０から構成される。図１に示す実施例において、各チャネルは、そのチャネルと関連付けられた各種電子音楽デバイスから入力２２、２４、２６、２８または３０を受け取る。ここでは、例えば、入力２２、２４、２６、２８、３０は、エレキギター２２ａ、ベースギター２４ａ、電子ドラムキット２６ａ、電子音楽プレーヤ２８ａおよびマイクロフォン３０ａとそれぞれ関連付けられている。キーボードなど、他の電子音楽デバイスを使用することができる。あるチャネルは、複数のデバイスから入力を受信してもよい。例えばチャネル１２は、エレキギター２２ａおよびマイクロフォン３２ａから入力２２および３２を受信する。以下に詳述するとおり、各チャネルは、チャネル１２、１４、１６、１８、２０のすべてによって受信される入力ミックスを生成する。各チャネル内では、そのチャネルへの入力のボリュームと他の各チャネルへの入力のボリュームとを独立して調整し、各チャネルで独自の入力ミックスを生成することができる。ミックスのボリューム全体が制御されてもよい。いくつかの実施形態では、残響およびパンエフェクトなど、各入力の他の特性が調整されてもよい。各チャネルにおける入力ミックスは、そのチャネルと関連付けられた出力デバイスに届けられる出力信号３４、３６、３８または４０を構成する。例えば、出力デバイスは、ヘッドフォン、コンピュータ、デジタルレコーダ、イヤーモニタまたはスピーカでもよい。いくつかの実施形態では、リハーサルシステム１０のチャネルは５つより多くても少なくてもよい。
【００１１】
図２および図２Ａでは、リハーサルシステム１０内でチャネル１２、１４、１６、１８、２０が放射状に配置されている。リハーサルシステム１０は、電源９２に接続されている。各チャネルは、入力部５０、チャネル制御部７４、帯域制御部８０、および出力部８６を含む。リハーサルシステム１０は、グローバルコントロール部１０２も含む。
【００１２】
図２ａを参照すると、１つのチャネルのレイアウトの分解図が示されている。入力部５０は、１つ以上のモノラル入力チャネル５２と１つ以上のステレオ入力チャネル５４とを含んでもよく、もしくはモノラル入力チャネルを１つだけ、またはステレオ入力チャネル１つだけを含んでもよい。モノラル入力チャネル５２は、第１のモノラル入力５６と第２のモノラル入力５８とを含む。第１のモノラル入力５６は、マイクロフォン用のＸＬＲ入力であり、ゲインを設定するためにプリアンプとトリムコントロール６２とを必要とする。モノラル入力５６および５８と関連付けられたＬＥＤ６０は、入力信号が最小しきい値を上回ることが検出されると緑色に点灯し、入力信号のゲインレベルがプリアンプクリッピングに接近した場合（入力信号がクリッピングを１０ｄＢ下回る場合など）には黄色に点灯し、入力信号のゲインレベルがプリアンプクリッピングに達すると赤色に点灯する。ＬＥＤ６０は、入力信号のゲインレベルに関する情報を伝達するために、ＬＣＤスクリーンと交換してもよい。第２のモノラル入力５８は、ＴＲケーブルとＴＲＳケーブルとを受承するように設計された１／４インチＴＲＳジャックである。第２のモノラル入力５８は、アコースティックギター、エレキギター・アンプモデラー、キーボード、ベースギター、ベースギター・アンプモデラー、圧電式ピックアップまたは電子ドラムなどの電子楽器からの入力を受け取る。第２のモノラル入力５８は、トリムコントロールと、第１のモノラル入力５６に関連付けられたＬＥＤ６０と類似したＬＥＤライト（図示せず）とを有してもよい。また、第２のモノラル入力５８は、アコースティックギターまたはベースギターからの直接入力（すなわちプリアンプを伴わない入力）のインピーダンス整合を改善するために、高インピーダンススイッチ（図示せず）を有してもよい。ステレオ入力チャネル５４は２つのステレオ入力６６と６８とを有する。これらは、平衡または不平衡入力を受け取るＴＲＳジャックである。別の実施形態では、単一のステレオＴＲＳジャックが使用される。ステレオ入力６６は必要に応じてモノラル入力として作用するように配線される。ステレオ入力チャネル５４は、ゲインコントロール７０と、ＬＥＤ６０と同じように動作するＬＥＤ７２とを有する。チャネルの定格（ＲＭＳ）入力電圧を可変できるようにステレオ入力チャネル５４に＋４ｄｂｕ〜１０ｄｂＶのスイッチ６４を組み込むことができる。また、同様の＋４ｄｂｕ〜１０ｄｂＶのスイッチをモノラル入力チャネル５２に組み込んでもよい。
【００１３】
チャネル制御部７４は、パンエフェクトを作り出すために出力信号の右チャネルと左チャネルとの間での入力信号の配分を制御するロケーションコントロール７６を含む。チャネル制御部７４は、そのチャネルの入力信号のレベルを調整するためのエフェクトレベルコントロール７８も含む。例えば、エフェクトレベルコントロール７８は、そのチャネルに適用される残響効果の度合を調整し得る。このチャネルコントロールは、そのチャネルの入力信号に影響を及ぼす他のコントロールを有してもよい。そして、イコライゼーションコントロール７７、効果の種類選択およびレベル制御（図示せず）、７５Ｈｚの「高パス」ＥＱスイッチ（図示せず）、および他のコントロールを有してもよい。
【００１４】
帯域制御部８０は、そのモノラル入力チャネルのレベルとリハーサルシステム１０の各チャネル１２、１４、１６、１８、２０のステレオ入力チャネルとを調整するための５つのコントロールを含む。例えば、図２Ａの分解断面部がチャネル１２のレイアウトを示している場合、コントロール８２は、チャネル１４のモノラル入力とステレオ入力とのレベルを調整し、コントロール８４は、チャネル１６のモノラル入力とステレオ入力とのレベルを調整する。一般に、帯域制御部８０におけるコントロールの数は、リハーサルシステム１０のチャネル数に対応する。本明細書に示すとおり、ステレオチャネルとモノラルチャネルとを１つのチャネルに組合せる場合には、コントロール８０が、１つのコントロール、２つのコントロール（１つはステレオ入力用で１つはモノラル入力用）、または２つの同心コントロールを有するデバイスを介してモノラル入力とステレオ入力との両方のレベルを調整してもよい。
【００１５】
出力部８６は、ミックスを出力デバイスに接続するための１／４インチ出力ジャック８８と、出力のゲインを調整するためのゲインレベルノブ９０とを含む。他の実施形態では、出力ジャックが、１／８インチＴＲＳ、ＲＣＡ、ＵＳＢ、ミニＤＩＮ構造または他のタイプのコネクタであってもよい。
【００１６】
グローバルコントロール部１０２は、すべてのチャネルに等しく作用するコントロールを含む。ファントム電源スイッチ１０４は、４８Ｖ直流電力をすべてのモノラル入力に供給して、ファントム電力を必要とするコンデンサマイクロフォン、直接入力ボックス、およびデバイスを作動させる。エフェクトコントロール１０６は、そのチャネルによって使用される残響などのエフェクトのタイプを決定する。
【００１７】
図３を参照すると、チャネル１２と１４とについて、リハーサルシステム１０の主な機能構成要素が示されている。他のチャネル１６、１８、２０は、同様の機能構成要素を有する。チャネル１２では、オーディオ電気入力信号２００が入力部２０２に入り、チャネル１４では、オーディオ電気入力信号２１０が入力部２０６に入る。これらの入力信号は、楽器、マイクロフォンまたはデジタル音楽プレーヤを含むさまざまなデバイスによって提供されてよく、各入力部は、複数のデバイスから入力信号を同時に受け取ってもよい。入力部２０２と２０６とを使用して、ユーザは、入力信号２００、２１０のレベルを、特定の入力デバイスに最適なレベルに設定することができる。
【００１８】
入力信号２００、２１０の各々は、チャネル１２と１４とにおけるチャネル制御部２０４、２０８にそれぞれ渡される。チャネル制御部２０４、２０８は、パンコントロール、残響、イコライゼーション、および他の効果を適用することにより、修正された信号２０５、２０９をそれぞれ生成する。ユーザが修正を希望しない場合には、修正された信号２０５、２０９が入力信号２００、２１０と同一であってもよい。修正された信号２０５、２０９は、オーディオバス２１２、２１４にそれぞれ届けられる。同様に、オーディオバス２１６、２１８、２２０は、修正された信号をチャネル１６、１８、２０から受信する。
【００１９】
各オーディオバス２１２、２１４、２１６、２１８、２２０によって配送される修正された信号は、チャネル１２と１４の帯域制御部２２２、２２４にそれぞれ入る。帯域制御部２２２は、ミックス２２３に含まれる各オーディオバス２１２、２１４、２１６、２１８、２２０からの信号のレベルを制御することにより、チャネル１２の個々のミックス２２３を作り出す。例えば、帯域制御部は、オーディオバス２１２からの信号のレベルを１００％に、オーディオバス２１４からの信号のレベルを７５％に、オーディオバス２１６、２１８、２２０からの信号のレベルを５０％に設定してよい。同様に、帯域制御部２２４は、チャネル１４の個々のミックス２２５を作り出す。オーディオバス２１２、２１４、２１６、２１８、２２０からの信号のレベルは、ミックス２２３とミックス２２５とで異なってもよい。同様に、チャネル１６、１８、２０も、オーディオバス２１２、２１４、２１６、２１８、２２０で個々の信号ミックスを作り出す帯域制御部を有する。
【００２０】
帯域制御部２２２と２２４とで生成されるミックス２２３と２２５とを表す信号は、出力部２２６と２２８とにそれぞれ送られる。各出力部は、出力信号のレベルを調整するためのコントロールを含む。例えば、ヘッドフォン２３０でチャネル１２を聴いているユーザは、ミックス２２３を聞くことができ、出力部２２６のコントロールを使用して、ミックス２２３の全体的なレベルを変えることができる。同様に、ヘッドフォン２３２でチャネル１４を聴いているユーザは、ミックス２２５を聞き、制御することができる。各出力部は、ヘッドフォン、コンピュータ、デジタルレコーダ、イヤーモニタ、スピーカなどの出力デバイスと接続するための１／４インチＴＲＳジャック、１／８インチＴＲＳジャック、ＵＳＢポートなど、さまざまなタイプの外部接続部も含む。
【００２１】
リハーサルシステム１０のいくつかの実施形態では、グローバルコントロール部１０２が２つ以上のチャネルに組み込まれている。本実施例では、グローバルコントロール部１０２がチャネル１２、１４にのみ接続されており、他の実施形態では、グローバルコントロール部１０２がチャネル１２、１４、１６、１８、２０の一部または全部に接続されてもよい。グローバルコントロール部１０２は、残響などのエフェクトを入力信号２００、２１０に提供し、４８Ｖファントム電源２３８などの非オーディオ機能を提供する。各チャネル１２、１４からの入力信号２００、２１０は、グローバルコントロール部１０２に送信され、そこで所与のエフェクトがその信号に適用される。次に各信号は、その起点チャネルに対応するチャネル制御部２０４、２０６に送られ（２３６）、そこでその信号のレベルを上記のとおりに調整することができる。一般に、エフェクトプロセッサは、グローバルコントロール部１０２を通じて、またはチャネル制御部２０４、２０６を通じてのように個々のチャネルを通じて、すべてのチャネルを等しく制御し得る。
【００２２】
図４を参照すると、チャネル１２、１４、２０について、リハーサルシステム１０の回路の概略図が示されている。チャネル１２、１４（そしてチャネル１６、１８、ただしこれらの詳細は明瞭化のため図示せず）は、モノラル入力チャネルを有し、それに対応した回路構造を有する。チャネル２０はステレオ入力チャネルを有する。チャネル１２では、入力部２０２が、１／４インチＴＲＳジャック４０３によって接続されたＸＬＲ入力４０２を含む。入力信号２００は、ゲインコントロール４０６によって制御されるプリアンプ４０４に渡される。本実施形態では、チャネル制御部２０４のパンコントロール４１０が、オーディオバス２１２のそれぞれ右側と左側とに送信される信号２０５ａ、２０５ｂの量を設定する。他のオーディオバス２１４、２１６、２１８、２２０は、チャネル１４、１６、１８、２０からの信号をそれぞれ配送する。オーディオバスによって配送される信号は、チャネル１２の帯域制御部２２２に入る。帯域制御部２２２では、ポテンショメータやエンコーダなどのコントロール４２２が、ミックス２２３に含まれるオーディオバス２１２からの信号の量を調整する。同様に、コントロール４２４、４２６、４２８、４３０は、チャネル１２のミックス２２３に含まれるオーディオバス２１４、２１６、２１８、２２０からの信号の量をそれぞれ調整する。調整された信号は、単一の出力バス４３２でミックス２２３に組合わされる。出力バス４３２は、ミックス２２３を出力部２２６に送信し、そこで、コントロール４３６によって制御されるアンプ４３４が、ヘッドフォンジャックなどの出力コネクタ４３８に送信されるミックスのレベルを調整する。チャネル１４、１６、１８は、チャネル１２の回路構造と同等の回路構造を有する。特に各チャネルは、各チャネルのミックスが他の各チャネルのミックスから独立することができる独自の出力バスを有する。チャネル２０は、入力信号を受け取るための２つのＴＲＳ入力４７２と４７４とを含むステレオチャネルを有する。回路要素４７６により、デバイスが入力４７４に接続されていない場合に入力４７２がモノラル入力として機能することができる。入力ゲインコントロール４７８が、アンプ４７３と４７５とを制御して、左側の４７７チャネルと右側の４７９チャネルとの両方で入力信号を同時に増幅する。次にその信号は、パンコントロール４８０によって調整され、オーディオバス２２０に到着する。チャネル２０の以降の回路構造は、チャネル１２に関する上記回路構造に等しい。
【００２３】
リハーサルシステム１０の他の特徴は、以下のとおりである。入力部５０は、独自のチャネル制御部７４と専用のオーディオバスとを有する内蔵ドラムマシン（またはＭＩＤＩシーケンサ）を含んでもよい。次に各チャネル１２、１４、１６、１８、２０は、そのドラムマシンのオーディオバスを通る信号を制御するためのコントロールを帯域制御部８０に有してもよい。同様に、帯域制御部が、演奏またはリハーサルの録音を可能にするために、その出力部８６で内蔵マルチチャネル・オーディオ・レコーディング・デバイスに接続されていてもよい。エレキギターおよびベースギター用アンプのモデル作成機能または電子ドラムあるいはキーボード用のＭＩＤＩサウンドモジュールがチャネル制御部７４に組み込まれてもよい。ギターチューナが１つ以上のチャネル制御部７４またはグローバルコントロール部１０２に備えられていてもよい。有線または無線リモコンを使用して、例えば、リハーサルシステム１０から離れて座っているドラマーが自身のチャネルのコントロールにリモートアクセスできるようにすることもできる。例えばソロの音量を変更できるように、所与のチャネルの信号の出力を一時的に増やすゲインブーストコントロールおよびフットスイッチをチャネル制御部７４に備えることもできる。ＡＣ電源を必要とするデバイスがリハーサルシステム１０を電源として使用できるように、リハーサルシステム１０は音声回路とは別の配電システムを備えることができる。
【００２４】
図５を参照すると、リハーサルシステム５００の代替実施形態は、５１２、５１４、５１６、５１８、５２０、５２２、５２４、５２６という８つのチャネルを有する。グローバルエフェクトプロセッサが、すべてのチャネルからの信号に適用されるエフェクトを制御するエフェクトコントロール５３８と、すべてのチャネルまたはＸＬＲジャックを備えたチャネルだけにファントム電力を供給する電力コントロール５４０とを有する。ファントム電力が供給されると、ＬＥＤ５４２が点灯する。チャネル５１２、５１６、５１８、５２４はモノラル入力部を有し、チャネル５１４、５２０、５２２、５２６はステレオ入力部とモノラル入力部とを有する。各チャネルは、入力部、チャネル制御部、帯域制御部、および出力部を有する。帯域制御部は、各チャネルから受信される信号のレベルを調整するための８つのコントロール５３０を有しており、独自のミックスを各チャネルで生成することができる。各チャネルは、パンコントロール５３２およびレベルコントロール５３４などのエフェクトコントロールを含んでおり、グローバルエフェクトプロセッサからいったん返されたチャネルの信号のレベルを調整する。
【００２５】
図６を参照すると、代表チャネル５１２と代表チャネル５１４について、リハーサルシステム５００の回路の概略図が示されている。他のチャネル５１６、５１８、５２４は、チャネル５１２の回路構造と同等の回路構造を有する。他のチャネル５２０、５２２、５２６は、チャネル５１４の回路構造と同等の回路構造を有する。リハーサルシステム５００の回路を構成する多数の要素が、図４に示されるリハーサルシステム１０の要素に対応する。チャネル５１２において、入力部６２０は、４８Ｖ直列ファントム電源回路６２２と、ファントム電源のオンとオフとを切り換えるためのスイッチ６２４と、ＬＥＤ６１０とを備える。チャネル制御部６２６は、入力信号をエフェクトプロセッサ６０４に送信するエフェクトレベルコントロール６０２を含む。この信号はチャネル制御部６２６を出て、オーディオバス６１２に送信される。リハーサルシステム５００は、８つのオーディオバス６１２、６１４、６１６、６１８、６２０、６２２、６２４、６２６を含み、各々がチャネル５１２、５１４、５１６、５１８、５２０、５２２、５２４、５２６からそれぞれ信号を受信する。チャネル５１２の帯域制御部６３６は、出力バス６３０におけるミックス６３８に備わっている各オーディオバスからの信号のレベルを判断する。出力バス６３０は、ミックス６３８を出力部６４０に送信する。独自の信号ミックスが他の各チャネルから独立してチャネルごとに生成できるように、各チャネルは別々の出力バスを有する。チャネル５１４は、入力信号をエフェクトプロセッサ６０８に送信するコントロール６０６も含む。チャネル５１４は、任意である第２の出力６３４によって描写される。この場合におけるこの出力は、コンピュータへの直接録音を可能にするＵＳＢオーディオアナログ・デジタル変換デバイスである。
【００２６】
本明細書に記載されているリハーサルシステムでは、リハーサルシステムの本体の複数のセグメントとして複数のチャネルが具体化されている。例えば、図２を再度参照すると、チャネル１２、１４、１６、１８、２０の各々は、リハーサルシステム１０の本体９６の一セグメントを構成する。
【００２７】
図７を参照すると、リハーサルシステム７００の一実施形態では、１つ以上のチャネル７１２、７１４、７１６、７１８、７２０がリモコンを使用して遠隔操作可能である。複数のリモコンが使用される場合、各リモコンは１つのチャネルと関連付けられている。示されている実施例では、チャネル７１２、７１８がリモコン７２２、７２８によってそれぞれ制御され、チャネル７１４、７１６、７２０は遠隔操作が可能ではない。他の実施形態では、チャネルの他の組み合わせがリモコンによって制御される。チャネル７１２は、リハーサルシステム７００の本体７０４と物理的に別であるリモコン７２２によって制御され、有線接続７０６を介して本体７０４に接続されている。チャネル７１８は、本体７０４から取り外し可能であり、かつチャネル７１８が位置する本体７０４の空間７１０に収納されるリモコン７２８によって制御される。リモコン７２８は、有線接続７０８を介して本体７０４にも接続されている。別の実施形態では、リモコン７２２、７２８が本体７０４に無線接続されている。リモコン７２２、７２８は、それぞれチャネル７１２、７１８の入力部、チャネル制御部、帯域制御部、および出力部のいずれかまたは全部の機能を管理する。例えば、図７に示す実施形態において、リモコン７２２は、帯域制御ノブ７８０と、出力ノブ７８６と、チャネル７１２の遠隔操作を可能にするエフェクトリターンノブ７８８とを備える。帯域制御ノブ７８０は、リハーサルシステム７００の各チャネル７１４、７１６、７１８、７２０の入力チャネルのレベルを調整するためのコントロールを含む。出力ノブ７８６は、ヘッドフォンなどの出力デバイスに送信される出力信号のボリュームを制御する。エフェクトリターンノブ７８８は、チャネル７１２に送信される入力信号のレベルを調整する。いくつかの実施形態では、リモコン７２２、７２８のうちの少なくとも１つが、グローバルコントロール部７０２の機能も管理する。いくつかの実施例では、電子音楽デバイスがリハーサルシステム７００に直接接続される。他の実施例では、ドラムセットやマイクロフォンなどの電子音楽デバイスは、リハーサルシステム７００にではなく、（リモコン７２２または７２８などの）リモコンに接続される。
【００２８】
図８Ａを参照すると、一実施形態において、リハーサルシステム８００の本体８０４は、ドッキングステーション８０２にドッキングされる。このドッキングステーションは、リハーサルシステム８００の基本性能に機能を追加する１つ以上のデバイスを備える。ドッキングステーション８０２は、リハーサルシステム８００の各チャネル８１２、８１４、８１６、８１８、８２０がその出力ミックスをドッキングステーションに直接送信できるようにするコネクタ（図示せず）を備える「直接出力」ドックである。図８Ｂを参照すると、ドッキングステーション８０２に備わっているハードディスクレコーダ８０４が、リハーサルシステム８００を通じてオーディオレコーディングを録音または再生することを可能にする。ドッキングステーション８０２におけるアンプ８０８のアレイ８０６が、リハーサルシステム８００を使用してライブ演奏用のスピーカを駆動させることを可能にする。充電バッテリ式ドッキングステーション８１０により、リハーサルシステム８００はＡＣコンセントから電力供給を受けなくても機能することができる。ドッキングステーション８００に備わっている無線送信器８２２および受信器８２４は、リハーサルシステム８００のチャネル８１２、８１４、８１６、８１８、８２０と関連付けられた送信器および受信器を制御し、楽器、ヘッドフォン、マイクロフォンまたは他の電子音楽デバイスの無線利用を可能にする。パーソナル音楽プレーヤ型ドッキングステーション８２６およびコネクタ８２８により、リハーサルシステム８００はｉＰｏｄ（登録商標）やＭＰ３プレーヤなどのパーソナル音楽プレーヤとの仲介を行うことができ、録音、バッキングトラックの再生、およびパーソナル音楽プレーヤのオペレーティングシステムとの他の通信が可能になる。
【００２９】
図２Ａを再度参照すると、リハーサルシステム１０の更なる特徴は、録音用途で使用されるチャネルなど、チャネルの出力を演奏者が監査することを可能にするレコーディング出力リスニングスイッチ９４である。レコーディング出力リスニングスイッチ９４を使用して、演奏者は、自身のチャネルでミックスを聴くことから、録音用途で使用されるチャネルでミックスを聴くことへと速やかに切り換えることができる。例えば、図２Ａがチャネル１２を示している場合、レコーディング出力リスニングスイッチ９４により、チャネル１２を使用している演奏者は、例えばチャネル１６の出力を聴くことができる。レコーディング出力リスニングスイッチ９４は、リハーサルシステム１０のチャネル１２、１４、１６、１８または２０のうちの少なくとも１つに、またはその付近に位置している。
【００３０】
図９を参照すると、一実施形態において、リハーサルシステム９００は、「仮想部屋」をシミュレートする部屋シミュレーションモジュール９０２を備える。すなわちこの部屋シミュレーションモジュールは、特定位置での音楽演奏と関連付けられた音響効果を生成する。一実施例では、部屋シミュレーションモジュールにより、演奏者は仮想部屋を小さい部屋から大きな部屋に変更することができる。別の実施例では、部屋シミュレーションモジュールにより、ロンドンのアビー・ロード・スタジオやシカゴのバディ・ガイズ・レジェンズ・クラブのステージといった著名な演奏空間のオーディオ・レスポンス・コピーを演奏者が選択することができる。部屋シミュレーションモジュール９０２は、デジタル信号プロセッサ９０４と、ノブやタッチスクリーンＬＣＤなどの制御機構９０６とを介して特定の部屋の演奏空間の音響効果を生成する。デジタル信号プロセッサには、部屋または演奏空間全体での音の響き方など、さまざまなタイプの部屋と演奏空間とに関する音響パラメータが予めプログラムされている。特定位置での音楽演奏と関連付けられた出力音を生成するために、部屋シミュレーションモジュール９０２は、予めプログラムされた音響パラメータを基に、リハーサルシステム９００の信号に音響効果を適用する。一実施形態では、リハーサルシステム９００のユーザがコンピュータ９０８を用いて仮想部屋を作り出し、コネクタ９１０を介してその仮想部屋を部屋シミュレーションモジュール９０２に送信する。部屋シミュレーションモジュール９０２は、仮想部屋の音響パラメータを判断し、その仮想部屋での音楽演奏と関連付けられた音響効果を生成する。本実施形態では、現実の世界では不可能な音響効果を生成することが可能である。
【００３１】
オーディオフィードバックとデータロギングとを使用した別の実施形態では、リハーサルシステムがリハーサルシステムを使用してユーザフィードバックを演奏者に提供することにより、例えば演奏者が自分たちの演奏を改善するのに役立てたりする。アルゴリズムが、演奏者の連携度やドラマーの１分当たりのビート数の一定度を追跡し、記録し、演奏者に報告する。一実施例では、選択した整合性しきい値を満たす演奏に対して、「良好」を意味するトーンや観衆からの拍手の音という形でオーディオフィードバックが提供される。
【００３２】
なお、前述の説明は例示を意図するものであって、本発明の範囲を制限することを意図するものではなく、本発明の範囲は添付の特許請求の範囲によって定義されることを理解すべきである。他の実施形態は以下の特許請求の範囲内のものである。
【図１】
2016006976.tif 000003
【図２】
2016006976.tif 000004
【図２Ａ】
2016006976.tif 000005
【図３】
2016006976.tif 000006
【図４】
2016006976.tif 000007
【図５】
2016006976.tif 000008
【図６】
2016006976.tif 000009
【図７】
2016006976.tif 000010
【図８Ａ】
2016006976.tif 000011
【図８Ｂ】
2016006976.tif 000012
【図９】
2016006976.tif 000013